(57)【要約】【課題】ステップに加わり得る急激な荷重を良好に吸収又は分散してガラスの損傷を防止することができるガラス階段用ステップの提供。【解決手段】板ガラス１ａを主材とする階段用のステップ本体１と、ステップ本体１の両端両側に弾力機能を備えた結合部３を介して取り付けステップ本体１を両側のささら桁に結合するためのブラケット２とで構成する。結合部３は、ステップ本体１と結合するための結合手段３ａと、結合手段３ａの下部の昇降嵌合部３ａ１を結合空間３ｂに所定範囲内で昇降自在に支持する箱形結合部本体（結合部本体）３ｃと、結合手段３ａの昇降嵌合部３ａ１の下面と該箱形結合部本体３ｃの結合空間３ｂの内部底面との間に配した弾性シート（弾性部材）３ｄと、で構成したものである。【選択図】  図５
2010126928.tif 000002
【特許請求の範囲】
【請求項１】
板ガラスを主材とする階段用のステップ本体と、該ステップ本体の両端付近に配して該ステップ本体を両側のステップ支持部材に結合するためのブラケットであって、該ステップ本体との結合部を弾力機能を有するものに構成したブラケットと、で構成したガラス階段用ステップ。
【請求項２】
前記ステップ本体を、二枚の強化ガラスを中間膜で貼り合わせた板ガラスと、その四辺の端面及び下面を保持する辺補強部材とで構成し、前記ブラケットの結合部を辺縁補強部材に結合した請求項１のガラス階段用ステップ。
【請求項３】
前記ステップ本体を二枚の強化ガラスを中間膜で貼り合わせた板ガラスで構成し、前記ブラケットの結合部を該板ガラスに直接結合した請求項１のガラス階段用ステップ。
【請求項４】
前記結合部を、ステップ本体と結合するための結合手段と、該結合手段の下部を結合空間に所定範囲内で昇降自在に支持する結合部本体と、該結合手段の下面と該結合部本体の結合空間の内部底面との間に配した弾性部材と、で構成した請求項１のガラス階段用ステップ。
【請求項５】
前記結合部を、ステップ本体の上面側から下方に貫通するボルト部材及び下面側で該ボルト部材に螺合するナット部材からなる結合手段と、該結合手段のナット部材の下面と対面するストッパ片であって、その周囲から上方に延長する筒状バネカバー及び下方に延長する筒状連結部を備えたストッパ片と、該ストッパ片の上面と前記結合手段のナット部材の下面との間に配した圧縮コイルバネと、該ストッパ片に開口した中央貫通孔を貫通垂下する前記結合手段のボルト部材の下部に螺合した規制片と、前記筒状連結部に形成した雌ねじに螺合する連結部材であって、ブラケットの端部に結合する連結部材と、で構成した請求項３のガラス階段用ステップ。
【発明の詳細な説明】
【技術分野】
【０００１】
本発明は、ガラスの階段を構成するためのガラス階段用ステップに関する。
【背景技術】
【０００２】
従来よりガラスの階段の提案例は少ない。またステップをガラスにすることによる問題点の解決のために十分な対策を施した例も見られない。
【０００３】
特許文献１は、簡易な構成で汎用性の高い階段構造を提供する趣旨で、基本的に一定段数分のステップ板載せ部を有する基本フレーム材からなる階段フレーム体と、前記ステップ板載せ部に配設されるステップ板とからなる階段構造物であり、その実施例の一つとしてステップ板にガラス製の平板を用いた例を提案している。このガラス製のステップ板は安全性を考慮して外周部分を金属部材で補強するとされている。ステップ板をガラスとする場合に関する説明はこの特許文献１ではこれだけである。
【０００４】
特許文献２は、階高の大きい螺旋階段の支柱本体の連結構造に関するもので、その実施例の一つとして踏板をガラス製としても良い、と述べている。特許文献２では、踏板をガラス製とすることに関してはそれ以上の説明はない。
【０００５】
特許文献３は、支柱の周囲に螺旋状に配置された複数の踏板を備える階段であって、踏板を支持するブラケットが高い曲げ剛性を備えながらも看る者に軽快な印象を与えることが可能な階段を提供することや、施工順序が限定され難く、かつ構築後にメンテナンスや部材の交換作業を行いやすい階段を提供することを目的とするものであるが、その実施例中で、以上の踏板は、アルミニウム合金製、木製、或いはガラス製としても良い、と説明されている。踏板をガラスにすることに関する言及はこれだけである。
【０００６】
ガラスの階段に関する提案例として出願人が知り得たのは以上の三件のみである。
【０００７】
【特許文献１】実用新案登録第３１４４０５６号公報
【特許文献２】特開２００７−１２０００８号公報
【特許文献３】特開２００６−２４１８４３号公報
【発明の開示】
【発明が解決しようとする課題】
【０００８】
本発明は、階段のステップにガラスを採用した場合に、そのステップに種々の態様で加わり得る荷重に対して十分な対策を施し、部分的に加わる急激な荷重を良好に吸収又は分散してガラスの損傷を防止することができるガラス階段用ステップを提供することを解決の課題とする。更に当該のステップが階段に設置された状態で宙に浮いているように見える支持構造を有するガラス階段用ステップを提供することをも解決の課題とする。
【課題を解決するための手段】
【０００９】
本発明の１は、板ガラスを主材とする階段用のステップ本体と、該ステップ本体の両端付近に配して該ステップ本体を両側のステップ支持部材に結合するためのブラケットであって、該ステップ本体との結合部を弾力機能を有するものに構成したブラケットと、で構成したガラス階段用ステップである。
【００１０】
本発明の２は、本発明の１のガラス階段用ステップに於いて、前記ステップ本体を、二枚の強化ガラスを中間膜で貼り合わせた板ガラスと、その四辺の端面及び下面を保持する辺補強部材とで構成し、前記ブラケットの結合部を該辺補強部材に結合したものである。
【００１１】
本発明の３は、本発明の１のガラス階段用ステップに於いて、前記ステップ本体を二枚の強化ガラスを中間膜で貼り合わせた板ガラスで構成し、前記ブラケットの結合部を該板ガラスに直接結合したものである。
【００１２】
本発明の４は、本発明の１のガラス階段用ステップに於いて、前記結合部を、ステップ本体と結合するための結合手段と、該結合手段の下部を結合空間に所定範囲内で昇降自在に支持する結合部本体と、該結合手段の下面と該結合部本体の結合空間の内部底面との間に配した弾性部材と、で構成したものである。
【００１３】
本発明の５は、本発明の３のガラス階段用ステップに於いて、前記結合部を、ステップ本体の上面側から下方に貫通するボルト部材及び下面側で該ボルト部材に螺合するナット部材からなる結合手段と、該結合手段のナット部材の下面と対面するストッパ片であって、その周囲から上方に延長する筒状バネカバー及び下方に延長する筒状連結部を備えたストッパ片と、該ストッパ片の上面と前記結合手段のナット部材の下面との間に配した圧縮コイルバネと、該ストッパ片に開口した中央貫通孔を貫通垂下する前記結合手段のボルト部材の下部に螺合した規制片と、前記筒状連結部に形成した雌ねじに螺合する連結部材であって、ブラケットの端部に結合する連結部材と、で構成したものである。
【発明の効果】
【００１４】
したがって本発明の１のガラス階段用ステップによれば、これを、建物に固設した両側のステップ支持部材に固設してガラス階段を構築するものとすれば、その階段を駆け上がったり、駆け下りたり、或いは、重量のある物を持って昇降したり、物を落としたりすることにより、そのステップに急激に大きな荷重がかかっても、ステップ本体とステップ支持部材に結合したブラケットとの結合部が弾力機能を有するものに構成されているため、それが該結合部の弾力機能で吸収され、ステップ本体の該結合部との結合位置及び荷重が直接加わった位置への荷重の集中が回避され、その損傷の虞が解消され、安全性が確保できることとなるものである。同時に歩行感も柔らかで良好なものになる。更にステップ本体はブラケットを介してささら桁等のステップ支持部材に固設されるものであるため、宙に浮いているように見える特殊な意匠を構成しうるものとなる。
【００１５】
本発明の２のガラス階段用ステップによれば、ステップ本体を構成するガラス自体により強化されたそれを採用したため、損傷の虞をより低下させたものである。
【００１６】
本発明の３のガラス階段用ステップによれば、荷重の集中が回避できるように対策が施された上で、かつステップ本体を十分補強したガラスのみで構成することとしたため、安全性を確保しながら一層軽快な意匠を構成することが可能となったものである。
【００１７】
本発明の４又は５のガラス階段用ステップによれば、前記結合部の弾力機能を有する構造を簡明で確実に動作するように構成したものであり、これによってステップ本体に掛かることのある急激な荷重を広く分散し集中荷重によるステップ本体の損傷を回避することができる。
【発明を実施するための最良の形態】
【００１８】
本発明を実施するための最良の形態を実施例に基づき図面を参照しながら詳細に説明する。
【００１９】
実施例のガラス階段用ステップは、図１〜図４に示すように、基本的に、板ガラス１ａを主材として構成した階段用のステップ本体１と、該ステップ本体１の両端付近に弾力機能を備えた結合部３を介して取り付けて該ステップ本体１を両側のささら桁４、４等のステップ支持部材に結合するためのブラケット２とで構成したものである。
【００２０】
前記ステップ本体１は、図１及び図２に示すように、平面から見て長方形の板ガラス１ａとその四辺を保護する辺補強部材１ｂ、１ｂ…とで構成したものである。詳細には、該板ガラス１ａは、図５及び図６に示すように、長方形の同一サイズの二枚の強化ガラス１ａ１、１ａ１を中間膜１ａ２を挟んで貼り合わせて構成した、いわゆる合わせガラスを採用したものであり、前記辺補強部材１ｂは、その板ガラス１ａの両側辺の側面及び前後端面及び下面を保持する断面Ｌ型の金属部材（ステンレススチール）で構成したものである。
【００２１】
なお、図５及び図６に示すように、該辺補強部材１ｂの直立部１ｂ１の内面と板ガラス１ａの両側面との間及び該辺補強部材１ｂの下部水平部１ｂ２の上面と板ガラス１ａの両端及び両側の下面との間にはそれぞれ弾力性を有するシート部材１ｃを介在させてある。また辺補強部材１ｂの直立部１ｂ１の内面と板ガラス１ａの両端面との間には金属製の連結片１ｄと弾力性を有するシート部材１ｃとを介在させてある。図６に示すように、板ガラス１ａの端面に接する側にシート部材１ｃを配し、該シート部材１ｃと辺補強部材１の直立部１ｂ１との間に該連結片１ｄを配する。該連結片１ｄの上面にはその上面から上記板ガラス１ａの端部上面にまで延びる上部抑え片１ｅを接着固定し、該連結片１ｄには、前記辺補強部材１ｂの下部水平部１ｂ２の下面側から連結皿ボルトｒｂをねじ込んで固定する。
【００２２】
該辺補強部材１ｂの内側に、板ガラス１ａを、その四辺の下面及び両側面ではシート部材１ｃを介して、かつ両端面ではシート部材１ｃ及び連結片１ｄを介して、装入配置し、かつ両端の連結片１ｄ、１ｄに前記上部抑え片１ｅ、１ｅを接着固定すること、及び該辺補強部材１ｂの両端側の下部水平部１ｂ２から前記各連結片１ｄ、１ｄに前記連結皿ボルトｒｂ、ｒｂをねじ込むことにより、該辺補強部材１ｂの内側に板ガラス１ａを固定するものである。
【００２３】
前記ブラケット２は、前記ステップ本体１の両端に各々一つずつ結合する部材であり、その一つは、図１〜図６に示すように、該ステップ本体１の端部両側部と結合する二つの結合端２ａ、２ａをその両端に有し、該各結合端２ａ、２ａには、それぞれ前記結合部３、３が結合してあるものである。該ブラケット２の結合端２ａ、２ａは、それぞれステップ本体１の両端両側の辺補強部材１ｂの下部水平部１ｂ２に前記結合部３を介して結合し、他方、該ブラケット２の中間の三箇所の取付部２ｂ、２ｂ、２ｂでささら桁４に取り付けるようになっている。
【００２４】
該ブラケット２は、ステップ本体１に取り付けた状態でその中央側から端部方向を見て、図７(b)に示すように、それぞれ両端の結合端２ａ、２ａから該ステップ本体１の下方に向かって斜めに延びる腕部２ｘ、２ｘと、該両腕部２ｘ、２ｘの各下端から中央側に向かって上向きに延びて上端で結合する取付板部２ｙとからなり、全体として、該ステップ本体１の中央側から端部方向を見た場合にＷ文字形状をなすものである。
【００２５】
該ブラケット２は、ステップ本体１に取り付けた状態のその平面方向から見て、図７(a)に示すように、台形をなし、その両腕部２ｘ、２ｘは、ステップ本体１の端部から離れるに従って中央寄りに向かうように斜めに構成され、両腕部２ｘ、２ｘの外端間を結合する状態に前記取付板部２ｙが構成してある。該取付板部２ｙは、平面から見た状態で該ステップ本体１の端部辺と平行状態でもある。
【００２６】
また該ブラケット２は、ステップ本体１に取り付けた状態のその側面方向から見て、図７(c)に示すように、レ文字形状をなし、その腕部２ｘ、２ｘは、該ステップ本体１の端部から離れるに従って下方に向かう斜め下向きに延長してあり、その下端から前記取付板部２ｙが直立状態に立ち上がるように構成してある。
【００２７】
要するに、該ブラケット２は、図１〜図７に示すように、その両腕部２ｘ、２ｘを、ステップ本体１の端部両側からその中央下部側及び端部外下方に向かって斜めに延長状態とし、前記取付板部２ｙを、該両腕部２ｘ、２ｘの各下端からその両下端間を結ぶ直線間の上方に向かって斜め上方に延長して中央で結合した板状の構成としたものである。
【００２８】
なお、図１〜図７に示すように、以上の腕部２ｘ、２ｘの外端が前記結合端２ａ、２ａであり、前記取付板部２ｙの両端及び中央部が前記取付部２ｂ、２ｂ、２ｂを構成するものである。また以上のブラケット２は、その全体をステンレススチールにより一体に成形したものである。
【００２９】
該取付板部２ｙの取付部２ｂ、２ｂ、２ｂは、図５、図６及び図７に示すように、取付ボルトｔｂを貫通させる貫通孔２ｂ１と、該取付ボルトｔｂの頭部を係止させる頭部係止穴２ｂ２とからなるものである。云うまでもなく、該頭部係止穴２ｂ２は、ブラケット２に取り付けられるステップ本体１に近い側に形成する。
【００３０】
前記結合部３は、図５、図６及び図８に示すように、前記ステップ本体１と結合するための結合手段３ａと、該結合手段３ａの下部の昇降嵌合部３ａ１を結合空間３ｂに所定範囲内で昇降自在に支持する箱形結合部本体（結合部本体）３ｃと、該結合手段３ａの昇降嵌合部３ａ１の下面と該箱形結合部本体３ｃの結合空間３ｂの内部底面との間に配した弾性シート（弾性部材）３ｄと、で構成したものである。
【００３１】
前記結合手段３ａは、図５、図６及び図８に示すように、ステップ本体１の端部両側に於ける辺補強部材１ｂの下部水平部１ｂ２にその上部側から貫通孔を通じて貫通させる結合皿ボルトｋｂと、該辺補強部材１ｂの下部で、以上のように貫通孔を貫通した結合皿ボルトｋｂと螺合して該辺補強部材１ｂの下部に結合固定状態となる昇降嵌合部３ａ１とで構成するものである。また該昇降嵌合部３ａ１は、図５、図６及び図８に示すように、基本形状が直方体であり、その上面に開口し、上記結合皿ボルトｋｂと螺合する雌ねじ部３ａ１２を有し、かつその一側下部には側方に張り出す抜け止め片３ａ１１を備えてある。
【００３２】
前記結合手段３ａは、従って辺補強部材１ｂに板ガラス１ａを配置固定する前に該辺補強部材１ｂに取り付けておくべきものである。
【００３３】
前記箱形結合部本体３ｃは、図５、図６及び図８に示すように、文字通り箱形の構造を有し、その左右側板の一方の上端から規制板３ｃ１を張り出させてある。該規制板３ｃ１の張出寸法は、前記昇降嵌合部３ａ１の抜け止め片３ａ１１の張出寸法と一致させる。また該箱形結合部本体３ｃの上部開口部幅の寸法は、前記昇降嵌合部３ａ１の底面幅の寸法以上に構成し、該箱形結合部本体３ｃの上部開口部の長さ方向の寸法は該昇降嵌合部３ａ１の底面の長さ方向の寸法を越えるように構成する。また該箱形結合部本体３ｃの結合空間（内部空間）３ｂの深さは、前記規制板３ｃ１の下面以下の深さで、該昇降嵌合部３ａ１の抜け止め片３ａ１１の厚み及び前記弾性シート３ｄの厚みを加えた寸法を若干越える深さ寸法とする。
【００３４】
なお、該箱形結合部本体３ｃは、図１〜図８に示すように、前記規制板３ｃ１を設けた側板と対面する側板及び該側板に隣接する一方の側板に、それぞれ位置決めボルトｉｂ，ｉｂの螺合用の雌ねじ３ｃ２、３ｃ２を形成し、更にその底板部に上下貫通する二つの水抜き穴３ｃ３、３ｃ３を開口しておくものとする。またこの箱形結合部本体３ｃは、その底部に、前記ブラケット２の両腕部２ｘ、２ｘの外端の結合端２ａ、２ａを結合しておくものとする。
【００３５】
前記弾性シート３ｄは、合成ゴムで構成した長方形板状の部材であり、その平面寸法は前記箱形結合部本体３ｃの内部底面の平面寸法と一致させる。またその弾性及び厚みは、この実施例のガラス階段用ステップを階段に取り付けて使用する際にそのステップ本体１に掛かり得る最大荷重を適切に吸収し得るそれとする。
【００３６】
ブラケット２の両腕部２ｘ、２ｘの外端の結合端２ａ、２ａに固設した箱形結合部本体３ｃ、３ｃの結合空間３ｂの内部底面に前記弾性シート３ｄを装入配置する。その後、前記ステップ本体１に於ける辺補強部材１ｂの両端両側の下部水平部１ｂ２に固設した昇降嵌合部３ａ１、３ａ１を、該箱形結合部本体３ｃ、３ｃの結合空間３ｂ、３ｂ中にその上部開口部から装入する。その後、該昇降嵌合部３ａ１、３ａ１を、図５に示すように、その抜け止め片３ａ１１、３ａ１１が規制板３ｃ１と対面状態になるように、幅方向の位置決めを行うべく該規制板３ｃ１を設けた側板側に移動させ、かつ図６に示すように、長さ方向の位置決めも行う。その後、規制板３ｃ１を設けた側板と対面する側の側板及びこれに隣接する側板に形成した雌ねじ３ｃ２、３ｃ２に位置決めボルトｉｂ，ｉｂを螺合し、その位置決め状態を維持し得るようにする。即ち、該結合空間３ｂ、３ｂ中での昇降嵌合部３ａ１、３ａ１の昇降動作を妨げない程度の締め付け状態に該位置決めボルトｉｂ、ｉｂを螺合して位置決め状態を保持する。
【００３７】
なお、このとき、箱形結合部本体３ｃの上端又は上面と、ステップ本体１の下面の内、該箱形結合部本体３ｃの上端又は上面と対面する部位である辺補強部材１ｂの下部水平部１ｂ２の下面との間の間隔は、この実施例のガラス階段用ステップを階段に使用した場合にステップ本体１に掛かり得る最大荷重で前記弾性シート３ｄが縮小する寸法を越える寸法とする。
【００３８】
ステップ本体１の両端に以上のようにして結合部３を介してブラケット２、２を取り付ける。
【００３９】
この実施例のガラス階段用ステップは、以上のように構成したものであるから、これを、例えば、建物の所要位置に固設した両側のささら桁４、４に固設してガラス階段を構築することができる。両側のささら桁４、４の間隔は、当然、ステップ本体１の両端に結合されたブラケット２、２の前記取付板部２ｙ、２ｙの間隔に一致させて設置しておくものとする。そして、この後、該ささら桁４、４の間に必要数のステップ本体１、１…を階段として適切な間隔で配して固定する訳である。
【００４０】
図１〜図４及び図６に示すように、ステップ本体１をささら桁４、４の間の所要の位置に配し、両側のブラケット２、２の取付板部２ｙ、２ｙの外面を該ささら桁４、４の内面に当接し、取付部２ｂ、２ｂ…に取付ボルトｔｂ、ｔｂ…を貫通させ、背後のささら桁４、４の雌ねじに螺合させ、該ブラケット２、２を該ささら桁４、４に固設する。所要数のステップ本体１、１…をこのようにしてささら桁４、４に取り付ければ、板ガラス１ａを主材とするステップ本体１、１…によるガラス階段の構築は完了である。
【００４１】
この実施例のガラス階段用ステップを採用したガラス階段は、以上のようにステップ本体１とささら桁４、４に結合したブラケット２、２との結合部３、３…が弾力機能を有するように構成されているため、その階段を駆け上がったり、駆け下りたり、或いは、重量のある物を持って昇降したり、物を落としたりすることにより、そのステップ本体１に急激に大きな荷重がかかったとしても、該荷重が該結合部３、３…で吸収され、或いは分散され、ステップ本体１の該結合部３、３…との結合位置及びステップ本体１の荷重が直接かかった位置への荷重の集中が回避され、ステップ本体１を構成する板ガラス１ａの損傷の虞が解消され、安全性が確保できることとなるものである。同時に歩行感も柔らかで良好なものとなる。
【００４２】
即ち、以上のようにステップ本体１に急激に荷重がかかった場合には、その荷重は該ステップ本体１の両端両側下部で辺補強部材１ｂの下部水平部１ｂ２に結合した昇降嵌合部３ａ１、３ａ１…、その下方の弾性シート３ｄ、３ｄ及び箱形結合部本体３ｃ、３ｃを介してブラケット２、２に伝達され、更にこれらを通じて両側のささら桁４、４に伝達されることになる。
【００４３】
このとき、昇降嵌合部３ａ１、３ａ１…は、前記荷重により、箱形結合部本体３ｃ、３ｃ…の結合空間３ｂ、３ｂ…中を急激に押し下げられており、それらの下方には、前記のように、弾性シートが配されているため、これを押し潰すように作用する。これによって該急激な荷重の一定割合が吸収され、その残部が該箱形結合部本体３ｃ、３ｃ…に伝達され、前記のように、ブラケット２、２を介してささら桁４、４に伝達されることになる。従って、前記のように、ステップ本体１の該結合部３、３…との結合位置及びステップ本体１の荷重が直接かかった位置への荷重の集中が回避され、ステップ本体１を構成する板ガラス１ａの損傷の虞が解消され、安全性が確保できることとなるものである。そして、前記したように、同時に歩行感が柔らかで良好なものにもなるものである。
【００４４】
なお、前記のように、昇降嵌合部３ａ１、３ａ１…には、その下側部に抜け止め片３ａ１１が張り出させてあり、該昇降嵌合部３ａ１、３ａ１…が装入してある結合空間３ｂ、３ｂ…を構成する箱形結合部本体３ｃ、３ｃ…の対応する側板上部には規制板３ｃ１が突出させてあるため、該昇降嵌合部３ａ１、３ａ１…は、該結合空間３ｂ、３ｂ…から抜け止め状態になっている。
【００４５】
なお、この実施例のステップ本体１には板ガラス１ａとして、強化ガラス１ａ１、１ａ１を中間膜１ａ２を挟んで貼り合わせて構成した、いわゆる合わせガラスを採用しているので、ステップ本体１とブラケット２、２との結合部３として、前記のような弾力機能を有する構成を採用したことと相まって、よりこのガラス階段用ステップを損傷の虞のない安全な物としているものである。
【００４６】
次に他の実施例について略述する。
この実施例は、板ガラス１１ａのみでステップ本体を構成し、これに結合部１３を介して種々のブラケットに結合し得るようにしたものである。
【００４７】
板ガラス１１ａは、図９に示すように、強化ガラス１１ａ１、１１ａ１を中間膜１１ａ２を挟んで貼り合わせて構成した、いわゆる合わせガラスであり、先の実施例と同様である。ただし、ステップ本体としては、先の実施例のような辺補強部材１ｂを採用していない。
【００４８】
前記結合部１３は、この実施例では、図９に示すように、ステップ本体である板ガラス１１ａの端部両側の上面側から下方に貫通する皿ボルト（ボルト部材）ＲＢ及び下面側で該皿ボルトＲＢに螺合するナット部材ＲＮからなる結合手段１３ａと、該結合手段１３ａのナット部材ＲＮの下面と対面し、その周囲から上方に延長する筒状バネカバー１３ｂ１及び下方に延長する筒状連結部１３ｂ２を備えたストッパ片１３ｂと、該ストッパ片１３ｂの上面と前記結合手段１３ａのナット部材ＲＮの下面との間に配した圧縮コイルバネ１３ｃと、該ストッパ片１３ｂの中央部に開口した中央貫通孔１３ｂ３を貫通垂下する前記結合手段１３ａの皿ボルトＲＢの下端に螺合した規制ナット（規制片）１３ｄと、前記筒状連結部１３ｂ２に形成した雌ねじ１３ｂ２ｎに螺合し、かつ他方ではブラケットの端部に結合する連結部材１３ｅと、で構成したものである。
【００４９】
前記結合手段１３ａの皿ボルトＲＢは、前記のように、ステップ本体である板ガラス１１ａの端部両側の上面側から下方に貫通させるが、このとき板ガラス１１ａの該当位置に開口した貫通孔には、該皿ボルトＲＢが直接接触しないように、プラスチック介在物を介在させることとする。なお、この貫通孔には、その上部に該皿ボルトＲＢの頭部が埋設可能な皿状の凹部を形成しておくものとする。また該皿ボルトＲＢに螺合するナット部材ＲＮの上面も該板ガラス１１ａの下面に直接接触しないように、その間にプラスチックシートを介在させる。
【００５０】
該ナット部材ＲＮは、その下面にバネ座用凹部を形成したものとし、前記圧縮コイルバネ１３ｃの上端を該バネ座用凹部に圧接させる。また該ナット部材ＲＮの周側下端部とストッパ片１３ｂの筒状バネカバー１３ｂ１の上端との間の間隔は、この実施例のガラス階段用ステップを階段に適用した場合にステップ本体に掛かり得る最大荷重で前記圧縮コイルバネ１３ｃが縮小する寸法を越える寸法とする。なお、この場合の圧縮コイルバネ１３ｃの縮小寸法は、前記実施例の弾性シート３ｄの圧縮寸法を大きく上回るものではある。圧縮コイルバネ１３ｃを採用したのは、前記のように荷重のかかった場合にその荷重を良好に吸収する観点からストロークを若干大きく採れるようにするためである。
【００５１】
前記連結部材１３ｅは、種々のタイプのブラケットに結合することが可能である。
【００５２】
従ってこの実施例のガラス階段用ステップは、以上のように構成したものであり、当然、先の実施例のそれと同様に、これを建物の所要位置に固設した両側のささら桁に固設してガラス階段を構築することができる。ささら桁への取り付けは、当然、採用したブラケットの構成に応じてそれに適合する取り付け方とする。
【００５３】
この実施例のガラス階段用ステップを採用したガラス階段は、以上のようにステップ本体を構成する板ガラス１１ａとささら桁に結合したブラケットとの結合部１３、１３…が弾力機能を有するように構成されているため、その階段を駆け上がったり、駆け下りたり、或いは、重量のある物を持って昇降したり、物を落としたりすることにより、そのステップ本体である板ガラス１１ａに急激に大きな荷重がかかったとしても、該荷重が該結合部１３、１３…で吸収され、或いは分散され、板ガラス１１ａの該結合部１３、１３…との結合位置及び板ガラス１１ａの荷重が直接かかった位置への荷重の集中が回避され、ステップ本体を構成する板ガラス１１ａの損傷の虞が解消され、安全性が確保できることとなるものである。
【００５４】
即ち、以上のようにステップ本体である板ガラス１１ａに急激に荷重がかかった場合には、その荷重は該板ガラス１１ａの両端両側下部に結合した皿ボルトＲＢ、ＲＢ…、ナット部材ＲＮ、ＲＮ…、圧縮コイルバネ１３ｃ、１３ｃ…、ストッパ片１３ｂ、１３ｂ…及び連結部材１３ｅ、１３ｅ…を介してブラケットに伝達され、更にこれらを通じて両側のささら桁に伝達されることになる。
【００５５】
このとき、皿ボルトＲＢ、ＲＢ…及びナット部材ＲＮ、ＲＮ…は、前記荷重により、ストッパ片１３ｂ、１３ｂ…の筒状バネカバー１３ｂ１、１３ｂ１…中を急激に押し下げられ、ナット部材ＲＮ、ＲＮ…とストッパ片１３ｂ、１３ｂ…との間には、前記のように、圧縮コイルバネ１３ｃ、１３ｃ…が配されているため、これを圧縮するように作用する。これによって該急激な荷重の一定割合が吸収され、その残部がストッパ片１３ｂ、１３ｂ…に伝達され、前記のように、該ストッパ片１３ｂ、１３ｂ…の筒状連結部１３ｂ２、１３ｂ２…に結合する連結部材１３ｅ、１３ｅ…を介してブラケットに伝達され、更に該ブラケットを介してささら桁に伝達されることになる。従って、前記のように、ステップ本体である板ガラス１１ａの該皿ボルトＲＢ、ＲＢ…及びナット部材ＲＮ、ＲＮ…との結合位置及び該板ガラス１１ａの荷重が直接かかった位置への荷重の集中が回避され、ステップ本体を構成する板ガラス１１ａの損傷の虞が解消され、安全性が確保できることとなるものである。
【００５６】
なお、前記のように、前記皿ボルトＲＢ、ＲＢ…の下端には規制ナット１３ｄ、１３ｄ…が螺合してあり、圧縮コイルバネ１３ｃ、１３ｃ…によって該前記ナット部材ＲＮ、ＲＮ…が上昇方向の作用力を受け、皿ボルトＲＢ、ＲＢ…が上昇しようとするが、該規制ナット１３ｄ、１３ｄ…の上面が前記ストッパ片１３ｂ、１３ｂ…の下面に当接してそれ以上の上昇が阻止されるようになっている。
【００５７】
またこの実施例のステップ本体である板ガラス１１ａとして、先の実施例と同様に、強化ガラス１１ａ１、１１ａ１を中間膜１１ａ２を挟んで貼り合わせて構成した、いわゆる合わせガラスを採用しているので、ステップ本体である板ガラス１１ａとブラケットとの結合部１３として、前記のような弾力機能を有する構成を採用したことと相まって、よりこのガラス階段用ステップを損傷の虞のない安全なものとしているものである。
【００５８】
更にまたこの実施例のガラス階段用ステップによれば、荷重の集中が回避できるように対策が施された上で、かつステップ本体を十分補強したガラスのみで構成することとしたため、安全性を確保しながら一層軽快な意匠を構成することが可能となったものである。
【００５９】
なお、以上の二つの実施例のいずれの場合も、ステップ本体１又はステップ本体である板ガラス１１ａがブラケット２等を介してささら桁４等のステップ支持部材に固設されることになるものであるため、ステップ本体１等は、宙に浮いたように見える特殊な外観を有することになる。
【図面の簡単な説明】
【００６０】
【図１】実施例のガラス階段用ステップを用いた階段の一部の底面図。
【図２】実施例のガラス階段用ステップを用いた階段の一部の平面図。
【図３】図１の一部の拡大図。
【図４】図２の一部の拡大図。
【図５】実施例のガラス階段用ステップの端部付近の横断面図。
【図６】実施例のガラス階段用ステップを用いた階段の一つのステップの取り付け部付近の一部切欠縦断面図。
【図７】(a)は結合部付きのブラケットのステップ本体に取り付けた場合の平面方向から見た図、(b)は端部方向に向いて見た図、(c)は側方から見た図。
【図８】結合部の一部切欠分解斜視図。
【図９】他の実施例のガラス階段用ステップに於ける板ガラスと結合部付近の断面図。
【符号の説明】
【００６１】
１    ステップ本体
１ａ  板ガラス
１ａ１  強化ガラス
１ａ２  中間膜
１ｂ  辺補強部材
１ｂ１  直立部
１ｂ２  下部水平部
１ｃ  シート部材
１ｄ  連結片
１ｅ  上部抑え片
２    ブラケット
２ａ  結合端
２ｂ  取付部
２ｂ１  貫通孔
２ｂ２  頭部係止穴
２ｘ  腕部
２ｙ  取付板部
３    結合部
３ａ  結合手段
３ａ１  昇降嵌合部
３ａ１１  抜け止め片
３ａ１２  雌ねじ部
３ｂ  結合空間（内部空間）
３ｃ  箱形結合部本体（結合部本体）
３ｃ１  規制板
３ｃ２  雌ねじ
３ｃ３  水抜き穴
３ｄ  弾性シート（弾性部材）
４    ささら桁（ステップ支持部材）
１１ａ  板ガラス
１１ａ１  強化ガラス
１１ａ２  中間膜
１３  結合部
１３ａ  結合手段
１３ｂ  ストッパ片
１３ｂ１  筒状バネカバー
１３ｂ２  筒状連結部
１３ｂ２ｎ  雌ねじ
１３ｂ３  中央貫通孔
１３ｃ  圧縮コイルバネ
１３ｄ  規制ナット（規制片）
１３ｅ  連結部材
ｉｂ  位置決めボルト
ｋｂ  結合皿ボルト
ｒｂ  連結皿ボルト
ｔｂ  取付ボルト
ＲＢ  皿ボルト（ボルト部材）
ＲＮ  ナット部材
【図１】
2010126928.tif 000003
【図２】
2010126928.tif 000004
【図３】
2010126928.tif 000005
【図４】
2010126928.tif 000006
【図５】
2010126928.tif 000007
【図６】
2010126928.tif 000008
【図７】
2010126928.tif 000009
【図８】
2010126928.tif 000010
【図９】
2010126928.tif 000011